(57)【要約】  ユーザ機器、基地局、およびそれらの通信が提供される。基地局のスケジューリングに基づくサイドリンク送信のために動作するユーザ機器は、基地局から第１の制御情報を受信するように動作する受信機と、受信された第１の制御情報に従って、短縮時間間隔がサイドリンク送信のためにユーザ機器と基地局とのシグナリングに使用されるかどうかを判定するように動作する、判定回路と、判定回路がサイドリンク送信のシグナリングに短縮時間間隔が使用されると判定した後、短縮時間間隔を使用してシグナリング中に第２の制御情報を基地局に送信するように動作する、送信機と、を備える。このとき、短縮時間間隔長は、標準時間間隔長よりも短い。
2021503188.tif 000002
【特許請求の範囲】
【請求項１】
基地局のスケジューリングに基づくサイドリンク送信のために動作するユーザ機器（ＵＥ：ｕｓｅｒ  ｅｑｕｉｐｍｅｎｔ）であって、
基地局から第１の制御情報を受信するように動作する受信機と、
前記受信された第１の制御情報に従って、短縮時間間隔がサイドリンク送信のために前記ユーザ機器と前記基地局とのシグナリングに使用されるかどうかを判定するように動作する、判定回路と、
前記判定回路が、サイドリンク送信の前記シグナリングに前記短縮時間間隔が使用されると判定した後、前記短縮時間間隔を使用して前記シグナリング中に第２の制御情報を前記基地局に送信するように動作する送信機と、
を備え、
前記短縮時間間隔の長さが、標準時間間隔の長さよりも短い、
ユーザ機器。
【請求項２】
前記短縮時間間隔が、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、前記標準時間間隔が、送信時間間隔（ＴＴＩ：ｔｒａｎｓｍｉｓｓｉｏｎ  ｔｉｍｅ  ｉｎｔｅｒｖａｌ）であり、ｓＴＴＩが、ＯＦＤＭシンボルに関するＴＴＩの一部である、
請求項１に記載のユーザ機器。
【請求項３】
前記短縮時間間隔が、新しい無線システムのミニスロットまたは非スロットユニットであり、前記標準時間間隔が、前記新しい無線システムのスロットであり、ミニスロットまたは非スロットが、ＯＦＤＭシンボルに関するスロットの一部である、
請求項１に記載のユーザ機器。
【請求項４】
前記第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、前記判定回路は、無線リソース制御（ＲＲＣ：ｒａｄｉｏ  ｒｅｓｏｕｒｃｅ  ｃｏｎｔｒｏｌ）シグナリングおよび前記ダウンリンク制御情報のうちの１つ以上に従って、前記短縮時間間隔が前記シグナリングに使用されるかどうかを判定する、
請求項１に記載のユーザ機器。
【請求項５】
前記受信機が、前記短縮時間間隔に対して特別に指定されている制御リソース内で前記第１の制御情報を受信するとき、前記判定回路は、前記短縮時間間隔が前記シグナリングに使用されると判定する、
請求項１に記載のユーザ機器。
【請求項６】
前記第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）を含み、前記受信機が前記短縮時間間隔および前記標準時間間隔によって共有される制御リソース内で前記ダウンリンク制御情報を受信するとき、前記判定回路は、前記ユーザ機器内のサーチスペースおよび前記ダウンリンク制御情報（ＤＣＩ：ｄｏｗｎｌｉｎｋ  ｃｏｎｔｒｏｌ  ｉｎｆｏｒｍａｔｉｏｎ）のサイズのうちの１つ以上に従って、前記短縮時間間隔が前記シグナリングに使用されるかどうかを判定する、
請求項１に記載のユーザ機器。
【請求項７】
前記第１の制御情報が、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、前記ユーザ機器によるサイドリンク送信の送信時間は、以下の式ａ）およびｂ）のうちの１つに従って判定される第１の時間よりも早くなく、
【数１】
2021503188.tif 000020
ここで、
【数２】
2021503188.tif 000021
が、前記基地局が前記サイドリンク関連ＤＣＩを送信する時間を示し、ｍが、時間オフセットを示し、Ｓが、秒単位の前記短縮時間間隔の長さを示し、ＸおよびＹが、前記ユーザ機器の容量に関連し、かつ、ＲＲＣによって構成されるか、または既定されている、
請求項１に記載のユーザ機器。
【請求項８】
サイドリンク送信のための前記ユーザ機器と前記基地局との前記シグナリングのための前記短縮時間間隔または前記標準時間間隔を選択するように動作する選択回路をさらに備え、
前記送信機が、スケジューリング要求およびバッファ状態報告のうちの１つ以上を介して、前記シグナリングのための前記選択された時間間隔を示す報告を送信する、
請求項１に記載のユーザ機器。
【請求項９】
前記ユーザ機器が、前記新しい無線システムにおける前記シグナリングに前記ミニスロットまたは前記非スロットユニットが使用されると判定した後、前記ユーザ機器が、前記ミニスロットまたは前記非スロットユニットを使用してサイドリンク送信を実行する、
請求項３に記載のユーザ機器。
【請求項１０】
基地局のスケジューリングに基づくサイドリンク送信のために動作するユーザ機器（ＵＥ：ｕｓｅｒ  ｅｑｕｉｐｍｅｎｔ）のための通信方法であって、
基地局から第１の制御情報を受信することと、
前記受信された第１の制御情報に従って、短縮時間間隔がサイドリンク送信のために前記ユーザ機器と前記基地局とのシグナリングに使用されるかどうかを判定することと、
サイドリンク送信の前記シグナリングに前記短縮時間間隔が使用されると判定した後、前記短縮時間間隔を使用して、第２の制御情報を前記基地局に送信することと、を含み、
前記短縮時間間隔の長さが、標準時間間隔の長さよりも短い、
方法。
【請求項１１】
ユーザ機器（ＵＥ：ｕｓｅｒ  ｅｑｕｉｐｍｅｎｔ）のサイドリンク送信をスケジューリングするために動作する基地局であって、
第１の制御情報を生成するように動作する制御情報生成器と、
サイドリンク送信のための前記基地局と前記ユーザ機器とのシグナリングに短縮時間間隔を使用するかどうかを示すために、前記第１の制御情報を前記ユーザ機器に送信するように動作する送信機と、
を備え、
前記短縮時間間隔の長さが、標準時間間隔の長さよりも短い、
基地局。
【請求項１２】
前記短縮時間間隔が、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、前記標準時間間隔が、送信時間間隔（ＴＴＩ：ｔｒａｎｓｍｉｓｓｉｏｎ  ｔｉｍｅ  ｉｎｔｅｒｖａｌ）であり、ｓＴＴＩが、ＯＦＤＭシンボルに関するＴＴＩの一部であり、前記ユーザ機器は、前記ｓＴＴＩが前記シグナリングに使用されると判定した後、ｓＴＴＩを使用して前記シグナリング中に第２の制御情報を前記基地局に送信する、
請求項１１に記載の基地局。
【請求項１３】
前記短縮時間間隔が、新しい無線システムのミニスロットまたは非スロットユニットであり、前記標準時間間隔が、前記新しい無線システムのスロットであり、前記ミニスロットまたは非スロットユニットが、ＯＦＤＭシンボルに関するスロットの一部であり、前記ユーザ機器は、前記ミニスロットまたは非スロットユニットが前記シグナリングに使用されると判定した後、ミニスロットまたは非スロットユニットを使用して、前記基地局への前記シグナリング中に第２の制御情報を送信する、
請求項１１に記載の基地局。
【請求項１４】
前記第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、前記シグナリングに前記短縮時間間隔を使用するかどうかが、無線リソース制御（ＲＲＣ：ｒａｄｉｏ  ｒｅｓｏｕｒｃｅ  ｃｏｎｔｒｏｌ）シグナリングおよび前記ダウンリンク制御情報のうちの１つ以上によって明示的に示される、
請求項１１に記載の基地局。
【請求項１５】
前記ユーザ機器が、前記短縮時間間隔に対して特別に指定されている制御リソース内で前記第１の制御情報を受信するとき、前記ユーザ機器は、前記短縮時間間隔が前記シグナリングに使用されると判定する、
請求項１１に記載の基地局。
【請求項１６】
前記第１の制御情報が、ダウンリンク制御情報を含み、前記ユーザ機器が、前記短縮時間間隔および前記標準時間間隔によって共有される制御リソース内で前記ダウンリンク制御情報を受信するとき、前記ユーザ機器は、前記ユーザ機器内のサーチスペースおよび前記ダウンリンク制御情報のサイズのうちの１つ以上に従って、前記短縮時間間隔が前記シグナリングに使用されるかどうかを判定する、
請求項１１に記載の基地局。
【請求項１７】
前記第１の制御情報が、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、前記ユーザ機器によるサイドリンク送信の送信時間は、以下の式ａ）およびｂ）のうちの１つに従って判定される第１の時間よりも早くなく、
【数３】
2021503188.tif 000022
ここで、
【数４】
2021503188.tif 000023
が、前記基地局がサイドリンク関連ＤＣＩを送信する時間を示し、ｍが、時間オフセットを示し、Ｓが、秒単位の前記短縮時間間隔の長さを示し、ＸおよびＹが、前記ユーザ機器の容量に関連し、かつ、ＲＲＣによって構成されるか、または既定されている、
請求項１１に記載の基地局。
【請求項１８】
スケジューリング要求およびバッファ状態報告のうちの１つ以上を介して、前記ユーザ機器から報告を受信するように動作する受信機であって、前記報告が、前記シグナリングのために前記ユーザ機器によって選択された時間間隔を示す、受信機と、
前記ユーザ機器との前記シグナリングのために、前記ユーザ機器によって選択された前記時間間隔を使用するかどうかを決定するように動作する決定回路と、
をさらに備える請求項１１に記載の基地局。
【請求項１９】
前記ユーザ機器が、前記新しい無線システムにおける前記シグナリングに前記ミニスロットまたは前記非スロットユニットが使用されると判定するとき、前記ユーザ機器が、前記ミニスロットまたは前記非スロットユニットを使用してサイドリンク送信を実行する、
請求項１３に記載の基地局。
【請求項２０】
ユーザ機器（ＵＥ：ｕｓｅｒ  ｅｑｕｉｐｍｅｎｔ）のサイドリンク送信をスケジューリングする基地局のための通信方法であって、
前記基地局において第１の制御情報を生成することと、
サイドリンク送信のための前記基地局と前記ユーザ機器とのシグナリングに短縮時間間隔を使用するかどうかを示すために、前記第１の制御情報を前記ユーザ機器に送信することと、
を含み、
前記短縮時間間隔の長さが、標準時間間隔の長さよりも短い、
方法。
【発明の詳細な説明】
【技術分野】
【０００１】
本技術は、無線通信分野に関し、より詳細には、基地局スケジューリングに基づくサイドリンク送信のためのユーザ機器（ＵＥ：ｕｓｅｒ  ｅｑｕｉｐｍｅｎｔ）、ＵＥのためのサイドリンク送信をスケジューリングするための基地局、およびそれらの通信に関する。
【背景技術】
【０００２】
Ｌｏｎｇ  Ｔｅｒｍ  Ｅｖｏｌｕｔｉｏｎ（ＬＴＥ）−Ｖｅｈｉｃｌｅ  ｔｏ  Ｅｖｅｒｙｔｈｉｎｇ（Ｖ２Ｘ）には、リソースのスケジューリング／選択に関する２つのモードがある。１つはｅＮＢベースのスケジューリング（モード３）、もう１つはＵＥ自律スケジューリング（モード４）である。モード３では、ＵＥは、他のＵＥへのサイドリンク送信を開始する前に、サイドリンクスケジューリングのためにｅＮＢと通信し、モード４では、ＵＥは、ｅＮＢの参加なしに自律的に別のＵＥへのサイドリンク送信を開始することができる。
【発明の概要】
【０００３】
本開示の非限定的かつ例示的な実施形態は、不必要な再送信を回避し、通信性能を効果的に改善することに資する。
【０００４】
一般的な一態様は、基地局スケジューリングに基づくサイドリンク送信のために動作するユーザ機器（ＵＥ：ｕｓｅｒ  ｅｑｕｉｐｍｅｎｔ）であって、基地局から第１の制御情報を受信するように動作する受信機と、受信された第１の制御情報に従って、短縮時間間隔がサイドリンク送信のためにユーザ機器と基地局とのシグナリングに使用されるかどうかを判定するように動作する、判定回路と、判定回路が、サイドリンク送信のシグナリングに短縮時間間隔が使用されると判定した後、短縮時間間隔を使用してシグナリング中に第２の制御情報を基地局に送信するように動作する送信機と、を備え、短縮時間間隔長が、標準時間間隔長よりも短い、ユーザ機器を提供する。
【０００５】
別の一般的な態様は、基地局のスケジューリングに基づくサイドリンク送信のために動作するユーザ機器のための通信方法であって、基地局から第１の制御情報を受信することと、受信された第１の制御情報に従って、短縮時間間隔がサイドリンク送信のためにユーザ機器と基地局とのシグナリングに使用されるかどうかを判定することと、サイドリンク送信のシグナリングに短縮時間間隔が使用されると判定した後、短縮時間間隔を使用してシグナリング中に第２の制御情報を基地局に送信することと、を含み、短縮時間間隔長が、標準時間間隔長よりも短い、方法を提供する。
【０００６】
別の一般的な態様は、ユーザ機器（ＵＥ：ｕｓｅｒ  ｅｑｕｉｐｍｅｎｔ）のサイドリンク送信をスケジューリングするために動作する基地局であって、第１の制御情報を生成するように動作する制御情報生成器と、第１の制御情報をユーザ機器に送信するように動作する送信機と、を備え、第１の制御情報を送信することによって、サイドリンク送信のための基地局とユーザ機器とのシグナリングに短縮時間間隔を使用するかどうかを示し、短縮時間間隔長が、標準時間間隔長よりも短い、基地局を提供する。
【０００７】
別の一般的な態様は、ユーザ機器（ＵＥ：ｕｓｅｒ  ｅｑｕｉｐｍｅｎｔ）のサイドリンク送信をスケジューリングする基地局のための通信方法であって、基地局において第１の制御情報を生成することと、サイドリンク送信のための基地局とユーザ機器とのシグナリングに短縮時間間隔を使用するかどうかを示すために、第１の制御情報をユーザ機器に送信することと、を含み、短縮時間間隔長が、標準時間間隔長よりも短い、方法を提供する。
【０００８】
なお、これらの包括的または具体的な実施形態は、システム、方法、集積回路、コンピュータプログラムまたは記録媒体で実現されてもよく、システム、方法、集積回路、コンピュータプログラムおよび記録媒体の任意な組み合わせで実現されてもよい。
【０００９】
本開示の実施形態における更なる利点および効果は、明細書および図面から明らかにされる。かかる利益および／または効果は、いくつかの実施形態並びに明細書および図面に記載された特徴によってそれぞれ認められるが、１つまたはそれ以上の同一の特徴を認めるために必ずしも全てが提供される必要はない。
【図面の簡単な説明】
【００１０】
【図１Ａ】本開示の一実施形態による、通信方式を適用するアプリケーションシナリオの例を概略的に示す。
【図１Ｂ】本開示の一実施形態による、通信方式を適用するアプリケーションシナリオの例を概略的に示す。
【図２】本開示の一実施形態による、ユーザ機器の一例のブロック図を概略的に示す。
【図３Ａ】本開示の一実施形態による、送信時間間隔（ＴＴＩ：ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【図３Ｂ】本開示の一実施形態による、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【図４Ａ】本開示の別の実施形態による、送信時間間隔（ＴＴＩ：ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【図４Ｂ】本開示の別の実施形態による、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【図５Ａ】本開示の別の実施形態による、スロットを使用するサイドリンク送信のための基地局とユーザ機器とのシグナリングを概略的に示す。
【図５Ｂ】本開示の別の実施形態による、ミニスロットを使用するサイドリンク送信のための基地局とユーザ機器とのシグナリングを概略的に示す。
【図６】本開示の一実施形態による、ユーザ機器の一例のブロック図を概略的に示す。
【図７】本発明の一実施形態による、ユーザ機器の詳細を示すブロック図を概略的に示す。
【図８】本開示の一実施形態による、基地局の一例のブロック図を概略的に示す。
【図９】本開示の一実施形態による、基地局の一例のブロック図を概略的に示す。
【図１０】本発明の一実施形態による、基地局の詳細を示すブロック図を概略的に示す。
【図１１】本開示の一実施形態による、サイドリンク送信のためのユーザ機器と基地局とのシグナリングのフローチャートの一例を概略的に示す。
【図１２】本発明の実施形態による、通信方法のフローチャートを概略的に示す。
【図１３】本発明の実施形態による、通信方法のフローチャートを概略的に示す。
【発明を実施するための形態】
【００１１】
次に、通信方法、装置、およびシステムに関する図面を参照して実施形態を説明する。本技術は、多くの異なる形態および多くの異なる順序で実施されてもよく、本明細書に記載される実施形態に限定されると解釈されるべきではないことが理解される。むしろ、これらの実施形態は、本開示が徹底的かつ完全であり、本技術を当業者に完全に伝えるように提供される。実際、本技術は、添付の特許請求の範囲によって定義される技術の範囲および趣旨に含まれるこれらの実施形態の代替、修正、および同等物を網羅することを意図している。さらに、本技術の以下の詳細な説明では、本技術の完全な理解を提供するために多くの特定の詳細が述べられている。しかしながら、そのような特定の詳細なく本技術を実施できることは、当業者には明らかであろう。
【００１２】
方法のステップの順序および構成要素の構造は、例示目的のために本明細書で提供されるが、限定のためではない。本技術の以下の詳細な説明は、例示および説明の目的で提示される。網羅的であること、または技術を開示された正確な形式に限定することは意図されていない。上記の教示に照らして、多くの修正および変更が可能である。説明された実施形態は、技術の原理およびその実際の応用を最もよく説明するために選択され、それにより、当業者が、考えられる特定の用途に適した様々な実施形態および様々な修正で技術を最大限に活用できるようにする。技術の範囲は、添付の特許請求の範囲によって定義されることが意図されている。
【００１３】
ＬＴＥ−Ｖ２Ｘシステムのモード３とモード４の両方のモードでは、レイテンシの削減は、ＳＡ（３ＧＰＰ  ２２．８８６）からの要件に基づいて、レイテンシに敏感なトラフィックを満たすための重要なターゲットである。例えば、高度な運転の場合、最大エンドツーエンドレイテンシ要件は３ミリ秒または１０ミリ秒、隊列走行の場合、最大エンドツーエンドレイテンシ要件は１０ミリ秒または２０ミリ秒、拡張センサの場合、エンドツーエンドの最大レイテンシ要件は３ミリ秒または１０ミリ秒である。そのため、Ｖ２Ｘではレイテンシを削減することが望ましい。
【００１４】
現在、ＬＴＥ−Ｖ２Ｘシステムでは、ｅＮＢベースのスケジューリングであるモード３の場合、基本的にサイドリンク送信（特に初期段階の送信）の前に、ユーザ機器（ＵＥ：ｕｓｅｒ  ｅｑｕｉｐｍｅｎｔ）とｅＮＢとのシグナリングにいくつかのステップがある。
【００１５】
次の表Ａは、これらのステップと対応する遅延を示している。
【表１】
2021503188.tif 000003
【００１６】
上記の表Ａでは、ＳＲは、ＵＥによって送信されたスケジューリング要求であり、ＢＳＲは、ＵＥによって送信されたバッファ状態報告であり、サイドリンクを介して送信されるデータの量を示している。
【００１７】
ＳＲの周期性が１〜１０ミリ秒であると仮定するとき、モード３での送信には、平均で２２ＴＴＩ（２２ミリ秒）のＵＥが必要になり、シナリオによっては、特定のレイテンシ要件に関して比較的大きくなる。
【００１８】
レイテンシの削減は、これまで３ＧＰＰ  ＲＡＮ２で熱く議論されており、Ｖ２Ｘに関係なく一般的な問題である。レイテンシを削減するための例示された提案された方式は、リソーススケジューリングの交信ステップの単純化、つまり、ＵＥが最初にＳＲではなくＢＳＲを直接送信することによって実施される。次に、平均レイテンシを２２ミリ秒から１４ミリ秒に削減することができる。ただし、レイテンシ要件（１０ミリ秒など）を満たすことは依然として非常に困難である。
【００１９】
図１Ａ〜１Ｂは、本開示の実施形態による、通信方式を適用するアプリケーションシナリオの例を概略的に示す。
【００２０】
より具体的には、図１Ａは、ＬＴＥ−Ｖ２Ｘのモード３としてのアプリケーションシナリオの一例を示している。アプリケーションシナリオは、図１Ａに示されるように、基地局と、第１のユーザ機器ＵＥ１および第２のユーザ機器ＵＥ２などの複数のユーザ機器とを含む。モード３では、基地局は、ＵＥのサイドリンク送信をスケジュールする。ＵＥは、サイドリンクスケジューリングのアップリンクおよびダウンリンクを介して、双方向モードで基地局とシグナリングをし、次いで、データ（例えば、ユーザデータ）を送信し、他のＵＥにシグナリングおよび／またはデータ（例えば、ユーザデータ）を受信し、他のＵＥからシグナリングすることにより、サイドリンクを介して双方向モードで他のＵＥと通信する。本開示の実施形態による通信方法は、図１Ａに示されるアプリケーションシナリオに適用され得る。図１Ａに示される実施形態は、例示目的のみのためであり、特定のアプリケーションの要件に応じて、任意の数のＵＥおよび基地局が存在してもよい。
【００２１】
図１Ｂは、ＬＴＥ−Ｖ２Ｘのモード４としてのアプリケーションシナリオの一例を示している。アプリケーションシナリオは、図１Ｂに示されるように、基地局と、第１のユーザ機器ＵＥ１および第２のユーザ機器ＵＥ２などの複数のユーザ機器とを含む。モード４では、ＵＥは、サイドリンク送信を自律的にスケジュールし、サイドリンクを介して他のＵＥと通信する。本開示の一実施形態による通信方法は、図１Ｂに示されるアプリケーションシナリオに適用され得る。図１Ｂに示される実施形態は、例示目的のみのためであり、特定のアプリケーションの要件に応じて、任意の数のＵＥおよび基地局が存在してもよい。
【００２２】
図２は、本開示の一実施形態による、ユーザ機器２００の一例のブロック図を概略的に示す。
【００２３】
一実施形態（例えば、モード３）では、ユーザ機器２００は、基地局スケジューリングに基づくサイドリンク送信のために動作可能であり、ユーザ機器２００は、受信機２１０、判定回路２３０、および送信機２５０を含む。一実施形態では、受信機２１０は、基地局から第１の制御情報を受信することができる。判定回路２３０は、受信された第１の制御情報に従って、短縮時間間隔がサイドリンク送信のためにユーザ機器と基地局とのシグナリングに使用されるかどうかを判定することができる。送信機２５０は、判定回路２３０がシグナリングに短縮時間間隔が使用されると判定した後、短縮時間間隔を使用してシグナリング中に第２の制御情報を基地局に送信することができる。
【００２４】
一実施形態では、基地局は、どの時間間隔長（短縮時間間隔または標準時間間隔）がシグナリングに使用されるかを決定することができる。短縮時間間隔を使用する場合、基地局は、通信のレイテンシ要件に応じて短縮時間間隔長をさらに判定することができる。別の実施形態では、ＵＥは、シグナリングにどの時間間隔長を使用するかを選択し、選択された時間間隔を基地局に報告し、基地局はさらに、ＵＥの選択に従うか、またはその選択を無効にすることを決定することができ、以下に詳細を説明する。
【００２５】
一実施形態では、サイドリンク送信は、アップリンクキャリアを使用する。一実施形態では、サイドリンク送信は、専用キャリア、例えば、サイドリンク専用キャリアまたは高度道路交通システム（ＩＴＳ）専用キャリアを使用する。
【００２６】
一実施形態では、ユーザ機器（ＵＥ）２００は、ＬＴＥーＶ２ＸシステムのＵＥであってもよく、その条件では、短縮時間間隔は、標準時間間隔よりも短い短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）であり、場合によっては、ｓＴＴＩは、ＯＦＤＭシンボルに関するＴＴＩの一部であってもよい。例えば、ｓＴＴＩは、ＴＴＩ内の少なくとも１つのＯＦＤＭシンボルに対応することができる。ただし、これは限定ではなく、ｓＴＴＩ長が標準時間間隔長よりも短い限り、他の長さのｓＴＴＩを使用することができる。一実施形態では、ユーザ機器２００は、ｓＴＴＩがシグナリングに使用されると判定した後、ｓＴＴＩを使用してシグナリング中に第２の制御情報を基地局に送信する。
【００２７】
一実施形態では、シグナリングのためにＴＴＩまたはｓＴＴＩを使用する構成は、制御情報の無線リソース制御（ＲＲＣ：ｒａｄｉｏ  ｒｅｓｏｕｒｃｅ  ｃｏｎｔｒｏｌ）シグナリングまたはダウンリンク制御情報（ＤＣＩ：ｄｏｗｎｌｉｎｋ  ｃｏｎｔｒｏｌ  ｉｎｆｏｒｍａｔｉｏｎ）によってＵＥに明示的に示すことができる。一実施形態では、第１の制御情報は、無線リソース制御（ＲＲＣ：ｒａｄｉｏ  ｒｅｓｏｕｒｃｅ  ｃｏｎｔｒｏｌ）シグナリングを含み、ＲＲＣシグナリングは、ＵＥと基地局とのシグナリングにＴＴＩまたはｓＴＴＩを使用することを明示的に示すことができる。例えば、ＲＲＣシグナリングのフィールドは、シグナリングにＴＴＩまたはｓＴＴＩを使用することを示すことができる。別の実施形態では、第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）を含み、ＤＣＩは、ＵＥと基地局とのシグナリングにＴＴＩまたはｓＴＴＩを使用することを明示的に示すことができる。例えば、ＤＣＩフォーマットのフィールドは、シグナリングにＴＴＩまたはｓＴＴＩを使用することを示すことができる。別の実施形態では、第１の制御情報は、ＲＲＣシグナリングおよびＤＣＩを含み、ＵＥと基地局とのシグナリングにＴＴＩまたはｓＴＴＩを使用することは、ＲＲＣおよびＤＣＩの組み合わせによって示され得る。ＵＥ２００の判定回路２３０は、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上に従って、シグナリングに短縮時間間隔（ＬＴＥで参照されるｓＴＴＩ）または標準時間間隔（ＬＴＥで参照されるＴＴＩ）を使用するかどうかを判定する。詳細な説明は、図３Ａおよび図３Ｂと組み合わせて説明する。
【００２８】
図３Ａは、本開示の一実施形態による、第１の制御情報によって明示的に示されるＴＴＩを使用するサイドリンク送信のための基地局とユーザ機器とのシグナリングを概略的に示す。
【００２９】
図３Ａに示される実施形態は、ＬＴＥ−Ｖ２Ｘのモード３の一例である。基地局（例えば、ｅＮＢ）は、ＵＥ（例えば、図２に示されるＵＥ２００）のためのサイドリンク送信をスケジュールすることができる。図３Ａの例に示されるように、ＴＴＩは、ｅＮＢとＵＥ２００とのシグナリングのために使用される。ＴＴＩを使用する場合、ＳＲの送信、ＵＬグラントの受信、ＢＳＲの送信、サイドリンクグラントの受信など、シグナリング中のステップはすべて、ＬＴＥーＶ２Ｘでの送信／受信／処理の基本時間単位であるＴＴＩに基づいて実行される。
【００３０】
図３Ａに示されるように、ｅＮＢは、第１の制御情報をＵＥ、例えば図２に示されるＵＥ２００に送信する。より具体的には、図３Ａの例に示されるように、ｅＮＢは、ＴＴＩ＃０で、シグナリングにＴＴＩを使用することを明示的に示す、ＲＲＣまたはＤＣＩまたはそれらの組み合わせなどの第１の制御情報を送信する。ＵＥ２００の判定回路２３０は、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上に従って、ＴＴＩまたはｓＴＴＩがシグナリングに使用されるかどうかを判定する。図３Ａの例では、判定回路２３０は、ＴＴＩがシグナリングに使用されると判定する。次に、ＵＥ２００の送信機２５０は、ｅＮＢとやり取りするためにＴＴＩを使用して第２の制御情報を送信し、ＴＴＩは、サイドリンク送信のためにＵＥ２００とｅＮＢとのシグナリングに使用される。
図３Ａの例に示されるように、４つのＴＴＩ（例えば、ＴＴＩ＃０〜ＴＴＩ＃３）は、サイドリンク送信をスケジューリングするために、アップリンクおよびダウンリンクを介してＵＥと基地局とのシグナリングに使用される。ＴＴＩ＃４において、ＵＥ２００は、サイドリンク送信を実行する。図３Ａは例示目的のためであり、シグナリングのレイテンシは、実際の用途に応じて可変であり、ＵＥ２００は、他の時間（例えば、ＴＴＩ＃ｎ、ｎは整数）にサイドリンク送信を実行してもよい。
【００３１】
図３Ｂは、本開示の一実施形態による、第１の制御情報によって明示的に示される短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【００３２】
図３Ｂに示される実施形態は、ＬＴＥ−Ｖ２Ｘのモード３の例示である。基地局（例えば、ｅＮＢ）は、ＵＥ（例えば、図２に示されるＵＥ２００）のためのサイドリンク送信をスケジュールすることができる。図３Ｂの例に示されるように、ｓＴＴＩは、ｅＮＢとＵＥ２００とのシグナリングのために使用される。
【００３３】
一実施形態では、ｅＮＢは、第１の制御情報をＵＥ、例えば図２に示されるＵＥ２００に送信する。より具体的には、図３Ｂの例に示されるように、ｅＮＢは、ｓＴＴＩ＃０においてシグナリングにｓＴＴＩを使用することを明示的に示す、ＲＲＣまたはＤＣＩまたはそれらの組み合わせなどの第１の制御情報を送信する。ＵＥ２００の判定回路２３０は、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上に従って、シグナリングにｓＴＴＩまたはＴＴＩが使用されるかどうかを判定する。例えば、判定回路２３０は、ＲＲＣまたはＤＣＩをチェックして、ＲＲＣまたはＤＣＩが例えばＲＲＣまたはＤＣＩのフィールドを介してｓＴＴＩの使用を明示的に示す場合、ｓＴＴＩが使用されると判定することができる。図３Ｂの例では、判定回路２３０は、ｓＴＴＩがシグナリングに使用されると判定する。次に、ＵＥ２００の送信機２５０は、ｅＮＢとやり取りするためにｓＴＴＩを使用して第２の制御情報を送信し、ｓＴＴＩは、サイドリンク送信のためにＵＥ２００とｅＮＢとのシグナリングに使用される。図３Ｂの例に示すように、４つのｓＴＴＩ（例えば、ｓＴＴＩがＴＴＩ長の半分である場合、ＴＴＩ＃０〜ＴＴＩ＃２に対応するｓＴＴＩ＃０〜ｓＴＴＩ＃３）は、サイドリンク送信のスケジューリングのために、アップリンクおよびダウンリンクを介してＵＥと基地局とのシグナリングのために使用される。ＴＴＩ＃２において、ＵＥ２００は、サイドリンク送信を実行する。図３Ｂは例示目的のみのためであり、シグナリングのレイテンシは、実際の用途に従って可変であり、ＵＥ２００は、他の時間（例えば、ＴＴＩ＃ｎ、ｎは整数）にサイドリンク送信を実行してもよい。
【００３４】
図３Ｂに示すように、ｓＴＴＩ長はＴＴＩ長の半分、つまり、ＴＴＩ長が１ミリ秒の場合、ｓＴＴＩ長は０．５ミリ秒に等しくなり、また、シグナリングプロセス全体でＴＴＩを使用する場合と比較して、シグナリングの全体的なレイテンシは半分に短縮することができ、したがって、ＵＥと基地局とのシグナリングのレイテンシを大幅に削減することができる。図３Ｂに示されているｓＴＴＩ長はＴＴＩ長の半分、つまり、ｓＴＴＩはＴＴＩに１４個のＯＦＤＭシンボルのうち７個のＯＦＤＭシンボルを含んでいるが、図３Ｂに示されている実施形態は、例示目的のみのためであり、ｓＴＴＩ長は、特定のアプリケーションのレイテンシ要件に応じて変えることができる。
【００３５】
さらに、異なるＶ２Ｘトラフィックは、異なるレイテンシ要件を有する場合がある。一部のトラフィックには小さなレイテンシが必要であるが、他のトラフィックにはレイテンシの影響を受けないものがある。したがって、ＲＲＣ、ＤＣＩ、またはそれらの組み合わせなどの制御情報を使用して、ｓＴＴＩを使用するかどうか、使用時にｓＴＴＩ長を構成するかどうかなど、ＴＴＩ長を明示的に示すことで、様々なトラフィックの要件に応じて柔軟性を実現することができる。
【００３６】
一実施形態では、シグナリングのためにＴＴＩまたはｓＴＴＩを使用する構成は、基地局によってＵＥに送信された制御情報のＤＣＩをＵＥに送信することにより、ＵＥに暗示的に示すことができる。ＵＥ２００について、ＵＥ２００の判定回路２３０は、ＵＥ２００が制御情報、ＤＣＩのサイズ、またはＵＥ内のサーチスペース、またはそれらの組み合わせを受信する制御リソースに従って、ＴＴＩまたはｓＴＴＩがシグナリングに使用されるかどうかを判定し得る。詳細については、図４Ａおよび図４Ｂと組み合わせて説明する。
【００３７】
図４Ａは、本開示の一実施形態による、第１の制御情報を送信することによって暗示的に示される送信時間間隔（ＴＴＩ：ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【００３８】
図４Ａに示される実施形態は、ＬＴＥ−Ｖ２Ｘのモード３の例示である。基地局（例えば、ｅＮＢ）は、ＵＥ（例えば、図２に示されるＵＥ２００）のためのサイドリンク送信をスケジュールすることができる。図４Ａに示されるように、ＴＴＩは、ｅＮＢとＵＥ２００とのシグナリングに使用される。
【００３９】
より具体的には、図４Ａの例に示されるように、ｅＮＢは、ＴＴＩ＃０で、ＴＴＩを使用して、ＤＣＩなどの第１の制御情報を送信する。一実施形態では、ＵＥ２００の判定回路２３０は、受信された第１の制御情報、例えばＤＣＩに基づいて、ＴＴＩまたはｓＴＴＩがシグナリングに使用されるかどうかを判定する。例えば、受信機２１０がＴＴＩに対して指定されている制御リソース内でＤＣＩを受信するとき、判定回路２３０は、ＴＴＩがシグナリングに使用されると判定する。別の実施形態では、判定回路２３０は、受信したＤＣＩのサイズに従って、ＴＴＩがシグナリングに使用されるかどうかを判定し得る。例えば、受信したＤＣＩのサイズが所定のサイズよりも大きい場合、判定回路２３０は、ＴＴＩがシグナリングのために使用されると判定する。別の実施形態では、判定回路２３０はまた、サーチスペース、例えば、サーチスペースの場所に従って、ＴＴＩがシグナリングに使用されるかどうかを判定することができる。
【００４０】
図４Ａの例では、判定回路２３０は、ＴＴＩがシグナリングに使用されると判定する。図４Ａの例に示されるように、４つのＴＴＩ（例えば、ＴＴＩ＃０〜ＴＴＩ＃３）は、サイドリンク送信をスケジューリングするために、アップリンクおよびダウンリンクを介してＵＥと基地局とのシグナリングに使用される。ＴＴＩがシグナリングに使用されると判定した後、ＵＥ２００の送信機２５０は、ｅＮＢとやり取りするためにＴＴＩを使用して第２の制御情報を送信し、ＴＴＩは、サイドリンク送信のためにＵＥ２００とｅＮＢとのシグナリングに使用される。ＴＴＩ＃４において、ＵＥ２００は、サイドリンク送信を実行する。図４Ａは例示目的のみのためであり、シグナリングのレイテンシは、実際の用途に従って可変であり、ＵＥ２００は、他の時間（例えば、ＴＴＩ＃ｎ、ｎは整数）にサイドリンク送信を実行してもよい。
【００４１】
図４Ｂは、本開示の一実施形態による、第１の制御情報によって暗示的に示される短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）を使用するサイドリンク送信のための基地局とユーザ機器とのシグナリングを概略的に示す。
【００４２】
図４Ｂに示される実施形態は、ＬＴＥ−Ｖ２Ｘのモード３の例示である。図４Ｂに示されるように、基地局（例えば、ｅＮＢ）は、ＵＥ（例えば、図２に示されるＵＥ２００）のためのサイドリンク送信をスケジュールすることができる。
【００４３】
図４Ｂの例に示されるように、ｅＮＢは、ｓＴＴＩ＃０で、ｓＴＴＩを使用して、ＤＣＩなどの第１の制御情報を送信する。ＵＥ２００の判定回路２３０は、受信された第１の制御情報、例えばＤＣＩに基づいて、ＴＴＩまたはｓＴＴＩがシグナリングに使用されるかどうかを判定する。例えば、受信機２１０がｓＴＴＩに対して特別に指定されている制御リソース内でＤＣＩを受信するとき、判定回路２３０は、ｓＴＴＩがシグナリングに使用されると判定する。別の実施形態では、受信機がｓＴＴＩおよびＴＴＩの両方によって共有される制御リソース内でダウンリンク制御情報を受信するとき、判定回路２３０は、受信したＤＣＩのサイズに従ってＴＴＩまたはｓＴＴＩがシグナリングに使用されるかどうかを判定し得る。例えば、受信したＤＣＩのサイズが所定のサイズよりも大きくない場合、判定回路２３０は、ｓＴＴＩがシグナリングのために使用されると判定する。別の実施形態では、判定回路２３０はまた、サーチスペース、例えば、サーチスペースの場所に従って、ＴＴＩまたはｓＴＴＩがシグナリングに使用されるかどうかを判定することができる。
【００４４】
図４Ｂの例では、判定回路２３０は、ｓＴＴＩがシグナリングに使用されると判定する。次に、ＵＥ２００の送信機２５０は、ｅＮＢとやり取りするためにｓＴＴＩを使用して第２の制御情報を送信し、ｓＴＴＩは、サイドリンク送信のためにＵＥ２００とｅＮＢとのシグナリングに使用される。図４Ｂの例に示されるように、４つのｓＴＴＩ（例えば、ｓＴＴＩがＴＴＩの長さの半分である場合、ＴＴＩ＃０〜ＴＴＩ＃２に対応するｓＴＴＩ＃０〜ｓＴＴＩ＃３）は、サイドリンク送信をスケジューリングするために、アップリンクおよびダウンリンクを介してＵＥと基地局とのシグナリングをするために使用される。ＴＴＩ＃２において、ＵＥ２００は、サイドリンク送信を実行する。図４Ｂは例示目的のみのためであり、シグナリングのレイテンシは、実際の用途に従って可変であり、ＵＥ２００は、他の時間（例えば、ＴＴＩ＃ｎ、ｎは整数）にサイドリンク送信を実行してもよい。
【００４５】
図４Ｂに示すように、ｓＴＴＩ長はＴＴＩ長の半分、つまり、ｓＴＴＩ長は０．５ミリ秒に等しくなり、また、シグナリングプロセス全体でＴＴＩを使用する場合と比較して、シグナリングの全体的なレイテンシは半分に短縮することができ、したがって、ＵＥと基地局とのシグナリングのレイテンシを大幅に削減することができる。図４Ｂに示されているｓＴＴＩ長はＴＴＩ長の半分、つまり、ｓＴＴＩはＴＴＩに１４個のＯＦＤＭシンボルのうち７個のＯＦＤＭを含んでいるが、図４Ｂに示されている実施形態は、例示目的のみのためであり、ｓＴＴＩ長は、特定のアプリケーションのレイテンシ要件に応じて変えることができる。
【００４６】
さらに、シグナリングにＴＴＩまたはｓＴＴＩを使用する暗示的な構成を使用することで、ＲＲＣシグナリングを回避でき、通信システムのリソースを節約することができる。
【００４７】
実際のアプリケーションでは、ＬＴＥ−Ｖ２Ｘの後方互換性の考慮により、シグナリング後のサイドリンク送信では、異なるＵＥ間の通信にＴＴＩが使用される。
【００４８】
図２に戻ると、一実施形態では、ＵＥ２００は、新しい無線システムのＵＥであってもよく、その場合、短縮時間間隔は、新しい無線システムのミニスロット（または非スロットユニット）と呼ばれ、標準時間間隔は、新しい無線システムのスロットと呼ばれ、ミニスロットまたは非スロットユニットは、ＯＦＤＭシンボルに関するスロットの一部である。例えば、ミニスロットまたは非スロットユニットは、スロット内の少なくとも１つのＯＦＤＭシンボルに対応することができる。ただし、これは限定ではなく、ミニスロットの長さがスロットの長さより短い限り、他の長さのミニスロットを使用することができる。ユーザ機器２００は、ミニスロットまたは非スロットユニットがシグナリングに使用されると判定した後、ミニスロット（または非スロットユニット）を使用して基地局（例えば、ｇＮＢ）へのシグナリング中に第２の制御情報を送信する。加えて、ＮＲにおけるＵＥの後方互換性を考慮する必要がないため、ユーザ機器２００は、新しい無線システムにおけるシグナリングにミニスロットまたは非スロットユニットが使用されると判定した後、ミニスロットまたは非スロットユニットを使用してサイドリンク送信をさらに実行することができる。
【００４９】
シグナリングにミニスロットを使用するかスロットユニットを使用するかは、ｇＮＢによって制御情報を送信することにより明示的または暗示的に示される。ＵＥ２００の判定回路２３０は、受信された制御情報に従って、シグナリングのためにミニスロットまたはスロットが使用されるかどうかを判定する。より具体的には、ＲＲＣ、ＤＣＩ、またはそれらの組み合わせを含み得る制御情報を送信することによる明示的な指示のために、判定回路２３０は、無線リソース制御（ＲＲＣ：ｒａｄｉｏ  ｒｅｓｏｕｒｃｅ  ｃｏｎｔｒｏｌ）シグナリングおよびダウンリンク制御情報（ＤＣＩ：ｄｏｗｎｌｉｎｋ  ｃｏｎｔｒｏｌ  ｉｎｆｏｒｍａｔｉｏｎ）のうちの１つ以上に従って、ミニスロットまたはスロットがシグナリングに使用されるかどうかを判定する。制御情報を送信することによる暗示的な指示のために、受信機２１０が短縮時間間隔に対して特別に指定されている制御リソース内で第１の制御情報（例えばＤＣＩ）を受信するとき、判定回路２３０は、ミニスロットまたは非スロットユニットがシグナリングに使用されると判定する。ＵＥ２００の受信機２１０がミニスロットまたは非スロットユニットおよびスロットによって共有される制御リソース内で第１の制御情報（例えば、ＤＣＩ）を受信するとき、判定回路２３０は、ユーザ機器内のサーチスペースおよびダウンリンク制御情報（ＤＣＩ：ｄｏｗｎｌｉｎｋ  ｃｏｎｔｒｏｌ  ｉｎｆｏｒｍａｔｉｏｎ）のサイズのうちの１つ以上に従って、ミニスロットがシグナリングに使用されるかどうかを判定する。
【００５０】
図５Ａは、本開示の別の実施形態による、「ＤＭＲＳタイプＡに基づくスケジューリング」と呼ばれる、新しい無線（ＮＲ：Ｎｅｗ  Ｒａｄｉｏ）システムのスロットを使用するサイドリンク送信のための基地局とユーザ機器とのシグナリングを概略的に示し、図５Ｂは、本開示の別の実施形態による、「ＤＭＲＳタイプＢに基づくスケジューリング」と呼ばれる、ＮＲシステムのミニスロットを使用するサイドリンク送信のための基地局とユーザ機器とのシグナリングを概略的に示す。図５Ａ〜５Ｂは、図５Ａ〜５Ｂのスロットが図３Ａ〜４ＢのＴＴＩに対応し、図５Ａ〜５Ｂのミニスロットが図３Ａ〜４ＢのｓＴＴＩに対応するという点で、図３Ａ〜４Ｂとは異なる。図５Ａ〜５Ｂの動作は、図３Ａ〜４Ｂに示された動作と類似しているため、ここでは、明確かつ簡潔にするため、繰り返しの説明は省略する。
【００５１】
図３Ａ〜５Ｂは単なる例であり、例示の目的のためであり、限定ではないことを理解されたい。サイドリンク送信は図３Ａ〜５Ｂに示すようにアップリンクキャリアを使用するが、図３Ａ〜５Ｂに示す実施形態は例示のみを目的としており、サイドリンク送信は専用キャリア（例えば、サイドリンク専用キャリアまたは高度道路交通システム（ＩＴＳ）専用キャリア）、および専用キャリアを使用したサイドリンク送信の動作は、アップリンクキャリアを使用した場合と同様であり、したがって、ここでは、明確かつ簡潔にするため、繰り返しの説明は省略する。
【００５２】
図６は、本開示の一実施形態による、ユーザ機器６００の一例のブロック図を概略的に示す。ユーザ機器６００は、受信機２１０、判定回路２３０、送信機２５０、および選択回路６５０を含む。受信機２１０、判定回路２３０、および送信機２５０の要素および構成は、図２に示されるものと同じである。したがって、図２に示されているのと同様の機能を有する要素には同じ参照番号が付けられており、簡潔かつ明確にするため本明細書では繰り返し説明しない。
【００５３】
一実施形態では、ＵＥ２００は、ＬＴＥーＶ２ＸシステムのＵＥであってもよく、その条件では、短縮時間間隔は、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）である。別の実施形態では、ユーザ機器６００は、新しい無線システムのＵＥであってもよく、その場合、短縮時間間隔は、新しい無線システムのミニスロット（または非スロット）ユニットであり、標準時間間隔は、新しい無線システムのスロットである。
【００５４】
一実施形態では、選択回路６５０は、サイドリンク送信のためのユーザ機器６００と基地局（ＬＴＥのｅＮＢおよびＮＲのｇＮＢ）とのシグナリングのための、短縮時間間隔（例えば、ＬＴＥにおけるｓＴＴＩ、およびＮＲにおけるミニスロットまたは非スロットユニット）または標準時間間隔（例えば、ＬＴＥにおけるＴＴＩ、およびＮＲにおけるスロット）を選択することができる。そして、送信機２５０は、スケジューリング要求（ＳＲ：ｓｃｈｅｄｕｌｉｎｇ  ｒｅｑｕｅｓｔ）およびバッファ状態報告（ＢＳＲ）のうちの１つ以上を介して、シグナリングのための選択された時間間隔を示す報告を送信する。
【００５５】
一実施形態では、ＵＥ６００は、（そのコンテンツまたは送信リソースを介して）ＳＲを使用して、シグナリングに短縮時間間隔を使用するか標準時間間隔を使用するかである、推奨または選択された時間間隔を報告する。一実施形態では、ＳＲは、ＳＲを送信するためのリソースに応じて、通常のＳＲおよびサイドリンクＳＲを含む。また、サイドリンクＳＲは、標準時間間隔のＳＲおよび短縮時間間隔のＳＲを含む。ＵＥ６００がシグナリングに短縮時間間隔を使用することを選択する場合、ＵＥ６００の送信機２５０は、短縮時間間隔のためにサイドリンクＳＲを使用して報告を送信することができる。基地局の場合、基地局は報告を受信し、受信したＳＲに従って選択された時間間隔を取得する。例えば、基地局は、サイドリンクＳＲに指定されている制御リソース内でＳＲが受信され、ＳＲがさらに短縮時間間隔にあると判定した場合、選択回路６５０がサイドリンク送信のためのシグナリングのために短縮時間間隔を選択することを応答確認する。
【００５６】
基地局は、選択された短縮時間間隔をシグナリングに使用するかどうかをさらに決定することができる。選択された短縮時間間隔を使用することを判定するとき、基地局（ｅＮＢ／ｇＮＢ）は、ＤＣＩまたはＲＲＣをＵＥ６００に送信して、シグナリングに短縮時間間隔を使用するかどうかを示す。
【００５７】
別の実施形態では、ＵＥ６００は、（そのコンテンツまたは送信リソースを介して）ＢＳＲを使用して、シグナリングに短縮時間間隔を使用するか標準時間間隔を使用するかである、推奨または選択された時間間隔長を報告する。一実施形態では、ＢＳＲは、ＢＳＲを送信するためのリソースに応じて、通常のＢＳＲおよびサイドリンクＢＳＲを含む。また、サイドリンクＢＳＲは、標準時間間隔のＢＳＲおよび短縮時間間隔のＢＳＲを含む。ＵＥ６００がシグナリングに短縮時間間隔を使用することを選択する場合、ＵＥ６００の送信機２５０は、短縮時間間隔のためにサイドリンクＢＳＲを使用して報告を送信することができる。基地局の場合、基地局は報告を受信し、受信したＢＳＲに従って選択された時間間隔長を取得する。例えば、基地局は、サイドリンクに指定されている制御リソース内でＢＳＲが受信され、ＢＳＲがさらに短縮時間間隔であると判定した場合、ＵＥ６００が短縮時間間隔を選択することを応答確認する。
【００５８】
別の実施形態では、ＵＥ６００は、ＢＳＲを構成し、ＢＳＲを基地局に送信することにより、短縮時間間隔長をさらに選択することができる。そして、基地局は、受信されたＢＳＲのリソースおよびコンテンツに従って、推奨された短縮時間間隔長を応答確認することができる。
【００５９】
基地局は、選択された短縮時間間隔を使用するかどうかをさらに決定することができる。そして、基地局（ｅＮＢ／ｇＮＢ）は、シグナリングに短縮時間間隔を使用するか標準時間間隔を使用するかを示す制御情報をＵＥ６００に送信する。そして、ＵＥ６００は、上述の判定方式に従って、短縮時間間隔がシグナリングに使用されるかどうかを判定することができる。
【００６０】
別の実施形態では、基地局は、どのＴＴＩ長がサイドリンク送信に使用されるかを示す制御情報（ＬＴＥにおけるＤＣＩフォーマット５Ａなど）またはサイドリンクスケジューリング割り当て（ＰＳＣＣＨまたはＰＳＢＣＨ）を送信することができる。特に、サイドリンクスケジューリング割り当てベースのアプローチは、ＬＴＥのモード３（ｅＮＢベースのサイドリンク送信）とＵＥが自律的にスケジュールするモード４との両方に使用することができる。
【００６１】
一実施形態では、基地局によって送信される第１の制御情報は、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）、例えば、ＵＥからＢＳＲを受信した後に基地局によって送信されるＤＣＩを含む。そして、ユーザ機器によるサイドリンク送信の送信時間は、以下の式ａ）およびｂ）のうちの１つに従って判定される第１の時間より早くない。
【数１】
2021503188.tif 000004
ここで、
【数２】
2021503188.tif 000005
は、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている。
【００６２】
図７は、本発明の一実施形態による、ユーザ機器７００の詳細を示すブロック図を概略的に示す。図７に示されるように、ＵＥ７００は、デコーダ７１０と、復調器７２０と、リソースデマッパー７３０と、リソースデマルチプレクサ７４０と、第１の信号プロセッサ７５０と、第２の信号プロセッサ７６０と、エンコーダ７８２、変調器７８４、リソースマッパー７８６、およびリソースマルチプレクサ７８８を含む処理回路７８０と、受信機２１０と、判定回路２３０および選択回路６５０を含む制御回路７７０と、ならびに送信機２５０と、を含む。受信機２１０、判定回路２３０、および送信機２５０の要素および構成は、図２に示されるものと同じである。したがって、図２に示されているのと同様の機能を有する要素には同じ参照番号が付けられており、簡潔かつ明確にするため本明細書では繰り返し説明しない。
【００６３】
一実施形態では、ＵＥ７００は、ＬＴＥーＶ２ＸシステムのＵＥであってもよく、その条件では、短縮時間間隔は、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）であり、ｓＴＴＩは、ＯＦＤＭシンボルに関するＴＴＩの一部である。ＵＥ７００と基地局、例えばｅＮＢとのシグナリングは、ｓＴＴＩを使用してもよい。
【００６４】
別の実施形態では、ＵＥ７００は、新しい無線システムのＵＥであってもよく、その場合、短縮時間間隔は、新しい無線システムのミニスロット（または非スロットユニット）であり、標準時間間隔は、新しい無線システムのスロットであり、ミニスロットまたは非スロットユニットは、ＯＦＤＭシンボルに関するスロットの一部である。ＵＥ７００と基地局、例えばｇＮＢとのシグナリングは、ミニスロットを使用してもよい。さらに、サイドリンク送信では、ＵＥ間でミニスロットを使用することもできる。
【００６５】
受信機２１０は、アンテナを介して無線信号を受信する。第１の信号プロセッサ７５０は、受信信号を処理し、リソースデマルチプレクサ７４０は、第１の制御情報およびデータを送信するリソースを逆多重化し、第１の制御情報のためのリソースをデマッピングするために逆多重化制御情報をリソースデマッパー７３０に送信し、復調器７２０は、第１の制御情報を復調して、復調された第１の制御情報を生成する。デコーダ７１０は、復調された第１の制御情報を復号し、復号された情報を制御回路７７０に送信する。
【００６６】
一実施形態では、制御回路７７０の判定回路２３０は、復号された制御情報を受信し、受信された制御情報に従って、ユーザ機器と基地局とのシグナリングに短縮時間間隔が使用されるかどうかを判定する。判定回路２３０の動作は上記で説明されており、したがって、ここでは明確かつ簡潔にするために繰り返しの説明は省略される。
【００６７】
制御回路７７０は、判定回路２３０がシグナリングに短縮時間間隔が使用されると判定した後、短縮時間間隔を使用したシグナリング中に第２の制御情報を送信するように送信機２５０を制御することができる。制御回路７７０は、第２の制御情報を生成し、第２の制御情報（例えば、ＳＲまたはＢＳＲ）および制御信号を処理回路７８０に送信することができる。エンコーダ７８２は、第２の制御情報を符号化し、変調器７８４は、第２の制御情報を変調し、リソースマッパー７８６は、第２の制御情報を指定されたリソースにマッピングし、リソースマルチプレクサ７８８は、指定されたリソースを制御情報およびデータに割り当てるために、第２の制御情報をデータと多重化する。第２の信号プロセッサ７６０によって処理された後、処理された第２の制御情報は、基地局とのシグナリングをするための短縮時間間隔を使用して送信される。
【００６８】
図７に示される制御回路７７０は単なる一例であり、限定ではなく例示の目的であるが、制御回路７７０はまた、他の回路、例えば、ユーザ機器の構成に従って、上記の要素を制御するための回路を含むことができる。
【００６９】
図７は単なる一例であり、限定ではなく例示の目的であるが、実際には、例えば、通信システムの要件に応じて１つ以上の統合された部分がＵＥ７００に含まれ得ることに留意されたい。
【００７０】
図８は、本開示の一実施形態による、基地局８００の一例のブロック図を概略的に示す。一実施形態では、図８に示される基地局は、ユーザ機器（ＵＥ：ｕｓｅｒ  ｅｑｕｉｐｍｅｎｔ）のサイドリンク送信をスケジュールすることができる。
【００７１】
図８に示される基地局８００は、制御情報生成器８１０および送信機８３０を含む。制御情報生成器８１０は、第１の制御情報を生成し、送信機８３０は、サイドリンク送信のための基地局とユーザ機器とのシグナリングに短縮時間間隔を使用するかどうかを示すために、第１の制御情報をユーザ機器に送信することができ、短縮時間間隔長は、標準時間間隔長よりも短い。
【００７２】
一実施形態では、基地局８００はＬＴＥのｅＮＢであってもよく、その場合、短縮時間間隔は、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）であり、ｓＴＴＩは、ＯＦＤＭシンボルに関するＴＴＩの一部である。一実施形態では、ＵＥは、ｓＴＴＩがシグナリングに使用されると判定した後、ｓＴＴＩを使用してシグナリング中に第２の制御情報を基地局、例えばｅＮＢに送信する。
【００７３】
一実施形態では、基地局８００は、ＮＲシステムのｇＮＢであってもよく、その場合、短縮時間間隔は、ＮＲシステムのミニスロット（または非スロットユニット）であり、標準時間間隔は、ＮＲシステムのスロットであり、ミニスロットまたは非スロットユニットは、ＯＦＤＭシンボルに関するスロットの一部である。一実施形態では、ユーザ機器は、ミニスロットまたは非スロットユニットがシグナリングに使用されると判定した後、ミニスロットまたは非スロットユニットを使用して基地局、例えば、ｇＮＢへのシグナリング中に第２の制御情報を送信する。さらに、ユーザ機器がＮＲシステムにおけるシグナリングにミニスロットまたは非スロットユニットが使用されると判定した後、ユーザ機器は、ミニスロットまたは非スロットユニットを使用してサイドリンク送信を実行する。
【００７４】
一実施形態では、第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、シグナリングに短縮時間間隔を使用するかどうかは、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上によって明示的に示される。そして、上述のＵＥの判定回路２３０は、ＲＲＣシグナリングおよびＤＣＩのうちの１つ以上に従って、短縮時間間隔または標準時間間隔がシグナリングに使用されるかどうかを判定することができ、その詳細は、図３Ａ〜３Ｂおよび図５Ａ〜５Ｂの組み合わせを用いて上記で説明されており、したがって、明確かつ簡潔にするために、ここでは繰り返しの説明は省略される。
【００７５】
一実施形態では、ユーザ機器が短縮時間間隔に対して特別に指定されている制御リソース内で第１の制御情報を受信するとき、ユーザ機器の判定回路２３０は、短縮時間間隔がシグナリングに使用されると判定し、その詳細は、図４Ａ〜４Ｂおよび図５Ａ〜５Ｂの組み合わせを用いて上記で説明されており、したがって、明確かつ簡潔にするために、ここでは繰り返しの説明は省略される。
【００７６】
一実施形態では、第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）を含み、ユーザ機器が短縮時間間隔および標準時間間隔によって共有される制御リソース内でダウンリンク制御情報を受信するとき、ユーザ機器の回路と呼ばれる判定回路２３０は、ユーザ機器内のサーチスペースおよびダウンリンク制御情報のサイズのうちの１つ以上に従って、短縮時間間隔または標準時間間隔がシグナリングに使用されるかどうかを判定する。判定回路２３０の動作は、図４Ａ〜４Ｂおよび図５Ａ〜５Ｂの組み合わせを用いて上記で説明されており、したがって、ここでは明確かつ簡潔にするために、繰り返しの説明は省略される。
【００７７】
一実施形態では、基地局は、送信される第１の制御情報に対するリソース割り当て（例えば、第１の制御情報を送信するために使用される時間間隔）を制御し、かつ、シグナリング送信に使用される時間間隔を制御するコントローラ（例えば、図１０に示されるコントローラ１０５２）をさらに含むことができる。例えば、コントローラは、送信機８３０を制御して、標準時間間隔（例えば、ＬＴＥのＴＴＩまたはＮＲのスロット）または短縮時間間隔（例えば、ＬＴＥのｓＴＴＩまたはＮＲのミニスロット）で第１の制御情報を送信することができる。そして、送信機８３０は、短縮時間間隔または標準時間間隔がシグナリングに使用されるかどうかを示す第１の制御情報をＵＥにさらに送信する。一実施形態では、コントローラは、シグナリングに短縮時間間隔が使用される場合、短縮時間間隔長を制御することができる。
【００７８】
図９は、本開示の一実施形態による、基地局９００の一例のブロック図を概略的に示す。基地局９００は、制御情報生成器８１０、送信機８３０、受信機９３０、および決定回路９４０を含む。制御情報生成器８１０および送信機８３０の要素および構成は、図８に示されるものと同じである。したがって、図８に示されているのと同様の機能を有する要素には同じ参照番号が付けられており、簡潔かつ明確にするため本明細書では繰り返し説明しない。
一実施形態では、受信機９３０は、スケジューリング要求およびバッファ状態報告のうちの１つ以上を介してユーザ機器から報告を受信し、報告は、シグナリングのためにユーザ機器によって選択された時間間隔を示す。決定回路９４０は、ユーザ機器とのシグナリングのためにユーザ機器によって選択された時間間隔を使用するかどうかを決定する。
【００７９】
図６を参照して上述したように、ＵＥ６００の送信機２５０は、スケジューリング要求（ＳＲ：ｓｃｈｅｄｕｌｉｎｇ  ｒｅｑｕｅｓｔ）およびバッファ状態報告（ＢＳＲ：ｂｕｆｆｅｒ−ｓｔａｔｕｓ  ｒｅｐｏｒｔ）のうちの１つ以上を介して、シグナリングのための選択された時間間隔（例えば、短縮時間間隔または標準時間間隔）を示す報告を送信する。基地局の決定回路９４０は、選択回路６５０によって選択および推奨された時間間隔を応答確認し、選択された時間間隔を使用するかどうかを決定する。決定回路９４０の動作は、図６を参照して上記で説明されており、ここでは明確かつ簡潔にするために繰り返しの説明は省略される。
【００８０】
ＵＥによって選択された短縮時間間隔を使用して決定した後、基地局（ｅＮＢ／ｇＮＢ）９００は、ＤＣＩを送信して、短縮時間間隔がシグナリングに使用されることを示し、ＵＥによって選択された標準時間間隔を使用して決定した後、基地局９００は、ＤＣＩを送信して、標準時間間隔がシグナリングに使用されることを示す。
【００８１】
一実施形態では、基地局は、送信される第１の制御情報に対するリソース割り当て（例えば、第１の制御情報を送信するために使用される時間間隔）を制御し、かつ、例えば、基地局９００がＵＥから報告を受信したときに決定回路９４０によって行われた決定情報に従って、シグナリング送信に使用される時間間隔を制御するコントローラ（例えば、図１０に示されるコントローラ１０５２）をさらに含むことができる。例えば、コントローラは、送信機８３０を制御して、標準時間間隔（例えば、ＬＴＥのＴＴＩまたはＮＲのスロット）または短縮時間間隔（例えば、ＬＴＥのｓＴＴＩまたはＮＲのミニスロット）で第１の制御情報を送信することができる。そして、送信機８３０は、短縮時間間隔または標準時間間隔がシグナリングに使用されるかどうかを示す第１の制御情報をＵＥにさらに送信する。一実施形態では、コントローラは、シグナリングに短縮時間間隔が使用される場合、短縮時間間隔長を制御することができる。
【００８２】
別の実施形態では、基地局９００は、どのＴＴＩ長（例えば、ＴＴＩまたはｓＴＴＩ）がサイドリンク送信に使用されるかを示す制御情報（ＬＴＥにおけるＤＣＩフォーマット５Ａなど）またはサイドリンクスケジューリング割り当て（ＰＳＣＣＨまたはＰＳＢＣＨ）を送信することができる。特に、サイドリンクスケジューリング割り当てベースのアプローチは、ＬＴＥのモード３（ｅＮＢベースのサイドリンク送信）とＵＥが自律的にスケジュールするモード４との両方に使用することができる。
【００８３】
一実施形態では、基地局によって送信される第１の制御情報は、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）、例えば、ＵＥからＢＳＲを受信した後に送信されるＤＣＩを含む。そして、ユーザ機器によるサイドリンク送信の送信時間は、以下の式ａ）およびｂ）のうちの１つに従って判定される第１の時間より早くない。
【数３】
2021503188.tif 000006
ここで、
【数４】
2021503188.tif 000007
は、基地局９００がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている。
【００８４】
図１０は、本発明の一実施形態による、基地局１０００の詳細を示すブロック図を概略的に示す。図１０に示すように、基地局１０００は、エラー検出器１０６２、デコーダ１０６４、復調器１０６６および信号デマルチプレクサ１０６８を含む処理回路１０６０と、エンコーダ１０１０、変調器１０２０、リソースマッパー１０３０、リソースマルチプレクサ１０４０、決定回路９４０、コントローラ１０５２および制御情報生成器８１０を含む制御回路１０５０と、送信機８３０と、受信機９３０と、を含む。受信機９３０、決定回路９４０、制御情報生成器８１０および送信機８３０の要素および構成は、図９に示されるものと同じである。したがって、図９に示されているのと同様の機能を有する要素には同じ参照番号が付けられており、簡潔かつ明確にするため本明細書では繰り返し説明しない。
【００８５】
制御情報生成器８１０は、第１の制御情報を生成し、エンコーダ１０１０は、制御情報生成器８１０から第１の情報を受信し、第１の制御情報を符号化し、符号化された第１の制御情報を変調のために変調器１０２０に送信する。リソースマッパー１０３０は、変調された第１の制御情報を指定されたリソースとマッピングし、リソースマルチプレクサ１０４０は、第１の制御情報を送信用のデータと多重化する。
【００８６】
一実施形態では、送信機８３０は、サイドリンク送信のための基地局とユーザ機器とのシグナリングに短縮時間間隔を使用するかどうかを示すために第１の制御情報をユーザ機器に送信する。
【００８７】
一実施形態では、受信機９３０は、図６に示されるようなＵＥ６００などのＵＥからＳＲまたはＢＳＲを介して報告を受信する。報告は、シグナリングのためにユーザ機器によって選択された時間間隔を示している。例えば、ＵＥは、基地局１０００とのシグナリングのために短縮時間間隔または標準時間間隔を選択することができる。報告は、高速フーリエ変換（ＦＦＴ：Ｆａｓｔ  Ｆｏｕｒｉｅｒ  Ｔｒａｎｓｆｏｒｍ）を使用して信号デマルチプレクサ１０６８によって逆多重化され、逆多重化された報告は、復調のために復調器１０６６に送信される。復調された報告は、復号のためにデコーダ１０６４に送信され、エラー検出器１０６２は、報告にエラーがあるかどうかをチェックする。チェックされた報告は、シグナリングのためにユーザ機器によって選択された時間間隔を使用するかどうかを決定するために、制御回路１０５０の決定回路９４０に送信される。決定回路９４０の詳細な動作は上記で説明されており、明確かつ簡潔にするためにここでは省略される。
【００８８】
制御回路１０５０内のコントローラ１０５２は、送信される第１の制御情報のリソース割り当て（例えば、第１の制御情報の送信に使用される時間間隔）を制御し、かつ、シグナリング送信に使用される時間間隔を制御する。一実施形態では、基地局１０００がＵＥから報告を受信するとき、コントローラ１０５２は、決定回路９４０によって行われた決定情報に従ってシグナリング送信に使用される時間間隔を制御することができる。例えば、コントローラ１０５２は、送信機８３０を制御して、標準時間間隔（例えば、ＬＴＥのＴＴＩまたはＮＲのスロット）または短縮時間間隔（例えば、ＬＴＥのｓＴＴＩまたはＮＲのミニスロット）で第１の制御情報を送信することができる。そして、送信機８３０は、短縮時間間隔または標準時間間隔がシグナリングに使用されるかどうかを示す第１の制御情報をＵＥにさらに送信する。一実施形態では、コントローラ１０５２はさらに、シグナリングに短縮時間間隔が使用される場合、短縮時間間隔長を制御することができる。
【００８９】
図１０に示される制御回路１０５０は単なる一例であり、限定ではなく例示の目的であるが、制御回路１０５０はまた、他の回路、例えば、基地局１０００の構成に従って、上記の要素を制御するための回路を含むことができる。
【００９０】
図１０は単なる一例であり、限定ではなく例示の目的であるが、実際には、例えば、通信システムの要件に応じて１つ以上の統合された部分が基地局１０００に含まれ得ることを理解されたい。
【００９１】
図１１は、本開示の実施形態による、ユーザ機器と基地局との間の通信のフローチャートの一例を概略的に示す。ＵＥ３３００は、ＵＥ３１００と同様の構成または異なる構成を有するＵＥであってもよい。ＵＥ３１００は、ＵＥ３３００とのサイドリンク送信を実行する前に、基地局とシグナリングをする。図１１は、図２、図６、および図８〜９と組み合わせて説明される。
【００９２】
一実施形態では、フローチャートは、ＬＴＥに適用されてもよく、その場合、基地局は、ｅＮＢを含み、短縮時間間隔は、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）であり、ｓＴＴＩは、ＯＦＤＭシンボルに関するＴＴＩの一部である。別の実施形態では、フローチャートは、ＮＲに適用されてもよく、その場合、基地局は、ｇＮＢを含み、その場合、短縮時間間隔は、新しい無線システムのミニスロット（または非スロットユニット）であり、標準時間間隔は、新しい無線システムのスロットであり、ミニスロットまたは非スロットは、ＯＦＤＭシンボルに関するスロットの一部である。
【００９３】
ステップＳＴ１０１において、ＵＥ３１００は、接続手順で基地局３２００と接続する。接続は、詳細が本明細書で省略されている既知のまたは将来開発される方法を実施することによって確立することができる。
【００９４】
ステップＳＴ１０２において、ＵＥ３１００は、ＳＲを基地局に送信する。一実施形態では、ＳＲは、シグナリングを基地局３２００とやり取りさせるための通常のＳＲであってもよい。一実施形態では、ＵＥ３１００がシグナリングのための短縮時間間隔（例えば、ＬＴＥのｓＴＴＩ、およびＮＲのミニスロットまたは非スロットユニット）または標準時間間隔（例えば、ＬＴＥのＴＴＩ、およびＮＲのスロット）を選択する場合、ＳＲは、短縮時間間隔のサイドリンクＳＲであってもよく、ＵＥ３１００によって選択された時間間隔を示す。
【００９５】
ステップＳＴ１０３において、基地局３２００は、受信したＳＲを復号し、制御情報を生成する。一実施形態では、ＳＲが短縮時間間隔のサイドリンクＳＲである場合、基地局３２００は、シグナリングのためにステップＳＴ１０３でＵＥによって選択された時間間隔を応答確認し、基地局はさらに、選択された時間間隔を使用して、基地局とＵＥ３１００とのシグナリングを行うかどうかを判定する。
【００９６】
ステップＳＴ１０４において、基地局３２００は、制御情報をＵＥ３１００に送信する。一実施形態では、基地局３２００は、シグナリングに短縮時間間隔を使用するかどうかを示す制御情報を送信する。
【００９７】
ステップＳＴ１０５において、ＵＥ３１００は、制御情報を受信し、受信された制御情報を処理する。
【００９８】
一実施形態では、ステップＳＴ１０４で送信される制御情報は、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、シグナリングに短縮時間間隔を使用するかどうかは、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上によって明示的に示される。
【００９９】
そして、ＵＥ３１００の判定回路２３０は、ステップＳＴ１０５において、ＲＲＣシグナリングおよびＤＣＩのうちの１つ以上に従って、短縮時間間隔または標準時間間隔がシグナリングに使用されるかどうかを判定することができ、その詳細は、図３Ａ〜３Ｂおよび図５Ａ〜５Ｂの組み合わせを用いて上記で説明されており、したがって、明確かつ簡潔にするために、ここでは繰り返しの説明は省略される。
【０１００】
一実施形態では、ステップＳＴ１０５において、ユーザ機器３１００が短縮時間間隔に対して特別に指定されている制御リソース内で第１の制御情報を受信するとき、ユーザ機器３１００の判定回路２３０は、短縮時間間隔がシグナリングに使用されると判定し、その詳細は、図４Ａ〜４Ｂおよび図５Ａ〜５Ｂの組み合わせを用いて上記で説明されており、したがって、明確かつ簡潔にするために、ここでは繰り返しの説明は省略される。
【０１０１】
一実施形態では、ステップＳＴ１０４において送信される第１の制御情報は、ダウンリンク制御情報を含み、ステップＳＴ１０５においてユーザ機器３１００が短縮時間間隔および標準時間間隔によって共有される制御リソース内でダウンリンク制御情報を受信するとき、ユーザ機器３１００の判定回路２３０は、ユーザ機器内のサーチスペースおよびダウンリンク制御情報のサイズのうちの１つ以上に従って、短縮時間間隔または標準時間間隔がシグナリングに使用されるかどうかを判定する。判定回路２３０の動作は、図４Ａ〜４Ｂおよび図５Ａ〜５Ｂの組み合わせを用いて上記で説明されており、したがって、ここでは明確かつ簡潔にするために、繰り返しの説明は省略される。
【０１０２】
ステップＳＴ１０６において、ＵＥ３１００は、ＢＳＲを基地局に送信する。一実施形態では、ＵＥ３１００が短縮時間間隔がシグナリングに使用されると判定した場合、ＵＥ３１００は、短縮時間間隔を使用してＢＳＲを送信する。さらに別の実施形態では、ＵＥ３１００が短縮時間間隔（例えば、ＬＴＥのｓＴＴＩ、およびＮＲのミニスロットまたは非スロットユニット）またはシグナリングの標準時間間隔を選択する場合、ＵＥ３１００は、短縮時間間隔についてサイドリンクＳＲを介して選択を基地局３２００に報告してもよい。
【０１０３】
ステップＳＴ１０７で、基地局３２００は、ＢＳＲを復号し、制御情報を生成する。一実施形態では、ＢＳＲが短縮時間間隔のサイドリンクＢＳＲである場合、基地局３２００は、ステップで選択された時間間隔を使用してＵＥ３１００が基地局とやり取りすることを選択することを応答確認し、基地局はさらに、選択された時間間隔を使用して、基地局とＵＥ３１００とのシグナリングを行うかどうかを決定する。
【０１０４】
ステップＳＴ１０８において、基地局３２００は、制御情報をＵＥ３１００に送信する。
【０１０５】
ステップＳＴ１０９において、ＵＥ３１００は、制御情報を復号し、サイドリンク送信用のデータを符号化する。
【０１０６】
ステップＳＴ１１０において、ＵＥ３１００は、サイドリンク送信を実行する。一実施形態では、フローチャートがＬＴＥ、例えばＬＴＥーＶ２Ｘのモード３に適用されると、ＵＥ３１００は、ＴＴＩを使用してサイドリンク送信を実行する。一実施形態では、フローチャートがＮＲに適用されると、ＵＥ３１００がミニスロットを使用して基地局３２００とのシグナリングを実行する場合、ＵＥ３１００は、ミニスロットまたは非スロットユニットを使用してサイドリンク送信を実行することができる。
【０１０７】
ＵＥ３１００が特定のステップにおいてサイドリンク送信のシグナリングに短縮時間間隔が使用されると判定した場合、シグナリングの次のステップは、短縮時間間隔を使用して実施される。例えば、ＵＥ３１００がステップＳＴ１０５においてサイドリンク送信のシグナリングに短縮時間間隔が使用されると判定した場合、シグナリングにおける次のステップＳＴ１０６〜ＳＴ１０９は、短縮時間間隔を使用して実施される。
【０１０８】
図１２は、本発明の実施形態による、通信方法のフローチャート１２００を概略的に示す。この通信方法は、基地局のスケジューリングに基づいたサイドリンク送信に有効なユーザ機器（ＵＥ：ｕｓｅｒ  ｅｑｕｉｐｍｅｎｔ）用である。図１２のフローチャート１２００は、図２および図６と組み合わせて説明される。
【０１０９】
ステップ１２２０において、受信機２１０は、基地局から第１の制御情報を受信する。
【０１１０】
ステップ１２４０において、判定回路２３０は、短縮時間間隔が、受信された第１の制御情報に従ってサイドリンク送信のためにユーザ機器６００と基地局とのシグナリングに使用されるかどうかを判定する。
【０１１１】
ステップ１２６０において、送信機２５０は、サイドリンク送信の判定回路２３０がシグナリングに短縮時間間隔が使用されると判定した後、短縮時間間隔を使用して第２の制御情報を基地局に送信し、短縮時間間隔長は、標準時間間隔長よりも短い。
【０１１２】
一実施形態では、短縮時間間隔は、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）であり、ｓＴＴＩは、ＯＦＤＭシンボルに関するＴＴＩの一部である。
【０１１３】
一実施形態では、短縮時間間隔は、新しい無線システムのミニスロットまたは非スロットユニットであり、標準時間間隔は、新しい無線システムのスロットであり、ミニスロットまたは非スロットは、ＯＦＤＭシンボルに関するスロットの一部である。
【０１１４】
一実施形態では、第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、方法は、短縮時間間隔が無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上に従ってシグナリングに使用されるかどうかを判定することをさらに含む。
【０１１５】
一実施形態では、方法は、受信機２１０が短縮時間間隔に対して特別に指定されている制御リソース内で第１の制御情報を受信するとき、短縮時間間隔がシグナリングに使用されると判定することをさらに含む。
【０１１６】
一実施形態では、第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）を含み、方法は、受信機２１０が短縮時間間隔および標準時間間隔によって共有される制御リソース内でダウンリンク制御情報を受信するとき、ユーザ機器６００内のサーチスペースおよびダウンリンク制御情報（ＤＣＩ）のサイズのうちの１つ以上に従って、短縮時間間隔がシグナリングに使用されるかどうかを判定することをさらに含む。
【０１１７】
一実施形態では、第１の制御情報は、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、方法は、以下の式ａ）およびｂ）のうちの１つに従って判定される第１の時間よりも早くない送信時間でサイドリンク送信を送信することをさらに含む。
【数５】
2021503188.tif 000008
ここで、
【数６】
2021503188.tif 000009
は、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている。
【０１１８】
一実施形態では、方法は、ユーザ機器と基地局とのシグナリングの短縮時間間隔または標準時間間隔を選択することをさらに含み、送信機２５０は、スケジューリング要求およびバッファ状態報告のうちの１つ以上を介して、シグナリングの選択された時間間隔を示す報告を送信する。
【０１１９】
一実施形態では、ユーザ機器が新しい無線システムにおけるシグナリングにミニスロットまたは非スロットユニットが使用されると判定した後、ユーザ機器は、ミニスロットまたは非スロットユニットを使用してサイドリンク送信を実行する。
【０１２０】
図１３は、本発明の実施形態による、通信方法のフローチャート１３００を概略的に示す。フローチャート１３００は、図８および図９と組み合わせて説明される。
【０１２１】
ステップ１３２０において、制御情報生成器８１０は、基地局で第１の制御情報を生成する。
【０１２２】
ステップ１３４０において、送信機８３０は、サイドリンク送信のための基地局とユーザ機器とのシグナリングに短縮時間間隔を使用するかどうかを示すために、第１の制御情報をユーザ機器に送信し、短縮時間間隔長は、標準時間間隔長よりも短い。
【０１２３】
一実施形態では、短縮時間間隔は、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔は、送信時間間隔（ＴＴＩ：ｔｒａｎｓｍｉｓｓｉｏｎ  ｔｉｍｅ  ｉｎｔｅｒｖａｌ）であり、ｓＴＴＩは、ＯＦＤＭシンボルに関するＴＴＩの一部であり、ユーザ機器は、ｓＴＴＩがシグナリングに使用されると判定した後、ｓＴＴＩを使用してシグナリング中に第２の制御情報を基地局に送信する。
【０１２４】
一実施形態では、短縮時間間隔は、新しい無線システムのミニスロットまたは非スロットユニットであり、標準時間間隔は、新しい無線システムのスロットであり、ミニスロットまたは非スロットは、ＯＦＤＭシンボルに関するスロットの一部であり、ユーザ機器は、ミニスロットまたは非スロットがシグナリングに使用されると判定した後、ミニスロットまたは非スロットユニットを使用して基地局へのシグナリング中に第２の制御情報を送信する。
【０１２５】
一実施形態では、第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、方法は、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上を構成して、シグナリングに短縮時間間隔を使用するかどうかを明示的に示すことをさらに含む。
【０１２６】
一実施形態では、ユーザ機器が短縮時間間隔に対して特別に指定されている制御リソース内で第１の制御情報を受信するとき、ユーザ機器は、短縮時間間隔がシグナリングに使用されると判定する。
【０１２７】
一実施形態では、第１の制御情報は、ダウンリンク制御情報を含み、ユーザ機器が短縮時間間隔および標準時間間隔によって共有される制御リソース内でダウンリンク制御情報を受信するとき、ユーザ機器は、ユーザ機器内のサーチスペースおよびダウンリンク制御情報のサイズのうちの１つ以上に従って、短縮時間間隔がシグナリングに使用されるかどうかを判定する。
【０１２８】
一実施形態では、第１の制御情報は、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、ユーザ機器によるサイドリンク送信の送信時間は、以下の式ａ）およびｂ）のうちの１つに従って判定される第１の時間よりも早くない。
【数７】
2021503188.tif 000010
ここで、
【数８】
2021503188.tif 000011
は、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている。
【０１２９】
一実施形態では、方法は、スケジューリング要求およびバッファ状態報告のうちの１つ以上を介してユーザ機器から報告を受信することであって、報告が、シグナリングのためにユーザ機器によって選択された時間間隔を示す、送信することと、ユーザ機器とのシグナリングのためにユーザ機器によって選択された時間間隔を使用するかどうかを決定することと、をさらに含む。
【０１３０】
一実施形態では、ユーザ機器が新しい無線システムにおけるシグナリングにミニスロットまたは非スロットユニットが使用されると判定した後、ユーザ機器は、ミニスロットまたは非スロットユニットを使用してサイドリンク送信を実行する。
【０１３１】
上記の説明は、本開示の例示的な実施形態に関するものであり、限定するものではない。
さらに、本開示の実施形態は、少なくとも以下の主題を提供することができる。
【０１３２】
（１）．基地局のスケジューリングに基づくサイドリンク送信のために動作するユーザ機器（ＵＥ：ｕｓｅｒ  ｅｑｕｉｐｍｅｎｔ）であって、
基地局から第１の制御情報を受信するように動作する受信機と、
受信された第１の制御情報に従って、短縮時間間隔が、サイドリンク送信のためにユーザ機器と基地局とのシグナリングに使用されるかどうかを判定するように動作する、判定回路と、
判定回路が、サイドリンク送信のシグナリングに短縮時間間隔が使用されると判定した後、短縮時間間隔を使用してシグナリング中に第２の制御情報を基地局に送信するように動作する送信機と、を備え、
短縮時間間隔長が、標準時間間隔長よりも短い、ユーザ機器。
【０１３３】
（２）．短縮時間間隔が、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔が、送信時間間隔（ＴＴＩ：ｔｒａｎｓｍｉｓｓｉｏｎ  ｔｉｍｅ  ｉｎｔｅｒｖａｌ）であり、ｓＴＴＩが、ＯＦＤＭシンボルに関するＴＴＩの一部である、請求項（１）に記載のユーザ機器。
【０１３４】
（３）．短縮時間間隔が、新しい無線システムのミニスロットまたは非スロットユニットであり、標準時間間隔が、新しい無線システムのスロットであり、ミニスロットまたは非スロットが、ＯＦＤＭシンボルに関するスロットの一部である、請求項（１）に記載のユーザ機器。
【０１３５】
（４）．第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、判定回路は、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上に従って、短縮時間間隔がシグナリングに使用されるかどうかを判定する、請求項（１）に記載のユーザ機器。
【０１３６】
（５）．受信機が、短縮時間間隔に対して特別に指定されている制御リソース内で第１の制御情報を受信するとき、判定回路は、短縮時間間隔がシグナリングに使用されると判定する、請求項（１）に記載のユーザ機器。
【０１３７】
（６）．第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）を含み、受信機が短縮時間間隔および標準時間間隔によって共有される制御リソース内でダウンリンク制御情報を受信するとき、判定回路は、ユーザ機器内のサーチスペースおよびダウンリンク制御情報（ＤＣＩ：ｄｏｗｎｌｉｎｋ  ｃｏｎｔｒｏｌ  ｉｎｆｏｒｍａｔｉｏｎ）のサイズのうちの１つ以上に従って、短縮時間間隔がシグナリングに使用されるかどうかを判定する、請求項（１）に記載のユーザ機器。
【０１３８】
（７）．第１の制御情報が、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、ユーザ機器によるサイドリンク送信の送信時間は、以下の方程式ａ）およびｂ）のうちの１つに従って判定される第１の時間よりも早くなく、
【数９】
2021503188.tif 000012
ここで、
【数１０】
2021503188.tif 000013
は、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている、請求項（１）に記載のユーザ機器。
【０１３９】
（８）．サイドリンク送信のためのユーザ機器と基地局とのシグナリングのための短縮時間間隔または標準時間間隔を選択するように動作する選択回路を備え、
送信機が、スケジューリング要求およびバッファ状態報告のうちの１つ以上を介して、シグナリングのための選択された時間間隔を示す報告を送信する、請求項（１）に記載のユーザ機器。
【０１４０】
（９）．ユーザ機器が、新しい無線システムにおけるシグナリングにミニスロットまたは非スロットユニットが使用されると判定した後、ユーザ機器が、ミニスロットまたは非スロットユニットを使用してサイドリンク送信を実行する、請求項（３）に記載のユーザ機器。
【０１４１】
（１０）．基地局のスケジューリングに基づくサイドリンク送信のために動作するユーザ機器（ＵＥ：ｕｓｅｒ  ｅｑｕｉｐｍｅｎｔ）のための通信方法であって、
基地局から第１の制御情報を受信することと、
受信された第１の制御情報に従って、短縮時間間隔がサイドリンク送信のためにユーザ機器と基地局とのシグナリングに使用されるかどうかを判定することと、
サイドリンク送信のシグナリングに短縮時間間隔が使用されると判定した後、短縮時間間隔を使用して、第２の制御情報を基地局に送信することと、を含み、
短縮時間間隔長が、標準時間間隔長よりも短い、方法。
【０１４２】
（１１）．短縮時間間隔が、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔が、送信時間間隔（ＴＴＩ：ｔｒａｎｓｍｉｓｓｉｏｎ  ｔｉｍｅ  ｉｎｔｅｒｖａｌ）であり、ｓＴＴＩが、ＯＦＤＭシンボルに関するＴＴＩの一部である、請求項（１０）に記載の通信方法。
【０１４３】
（１２）．短縮時間間隔が、新しい無線システムのミニスロットまたは非スロットユニットであり、標準時間間隔が、新しい無線システムのスロットであり、ミニスロットまたは非スロットが、ＯＦＤＭシンボルに関するスロットの一部である、請求項（１０）に記載の通信方法。
【０１４４】
（１３）．第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、方法は、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上に従って、短縮時間間隔がシグナリングに使用されるかどうかを判定することをさらに含む、請求項（１０）に記載の通信方法。
【０１４５】
（１４）．方法は、受信機が、短縮時間間隔に対して特別に指定されている制御リソース内で第１の制御情報を受信するとき、短縮時間間隔がシグナリングに使用されると判定することをさらに含む、請求項（１０）に記載の通信方法。
【０１４６】
（１５）．第１の制御情報は、ダウンリンク制御情報（ＤＣＩ：ｄｏｗｎｌｉｎｋ  ｃｏｎｔｒｏｌ  ｉｎｆｏｒｍａｔｉｏｎ）を含み、方法は、短縮時間間隔および標準時間間隔によって共有される制御リソース内で受信機がダウンリンク制御情報を受信するとき、ユーザ機器内のサーチスペースおよびダウンリンク制御情報（ＤＣＩ）のサイズのうちの１つ以上に従って、短縮時間間隔がシグナリングに使用されるかどうかを判定することをさらに含む、請求項（１０）に記載の通信方法。
【０１４７】
（１６）．第１の制御情報が、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、ユーザ機器によるサイドリンク送信の送信時間は、以下の式ａ）およびｂ）のうちの１つに従って判定される第１の時間よりも早くなく、
【数１１】
2021503188.tif 000014
ここで、
【数１２】
2021503188.tif 000015
は、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている、請求項（１０）に記載の通信方法。
【０１４８】
（１７）．サイドリンク送信のためのユーザ機器と基地局とのシグナリングのための短縮時間間隔または標準時間間隔を選択することを含み、
送信機が、スケジューリング要求およびバッファ状態報告のうちの１つ以上を介して、シグナリングのための選択された時間間隔を示す報告を送信する、請求項（１０）に記載の通信方法。
【０１４９】
（１８）．ユーザ機器が、新しい無線システムにおけるシグナリングにミニスロットまたは非スロットユニットが使用されると判定した後、ユーザ機器が、ミニスロットまたは非スロットユニットを使用してサイドリンク送信を実行する、請求項（１２）に記載の通信方法。
【０１５０】
（１９）．ユーザ機器（ＵＥ：ｕｓｅｒ  ｅｑｕｉｐｍｅｎｔ）のサイドリンク送信をスケジューリングするために動作する基地局であって、
第１の制御情報を生成するように動作する制御情報生成器と、
サイドリンク送信のための基地局とユーザ機器とのシグナリングに短縮時間間隔を使用するかどうかを示すために、第１の制御情報をユーザ機器に送信するように動作する送信機と、を備え、
短縮時間間隔長が、標準時間間隔長よりも短い、基地局。
【０１５１】
（２０）．短縮時間間隔が、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔が、送信時間間隔（ＴＴＩ：ｔｒａｎｓｍｉｓｓｉｏｎ  ｔｉｍｅ  ｉｎｔｅｒｖａｌ）であり、ｓＴＴＩが、ＯＦＤＭシンボルに関するＴＴＩの一部であり、ユーザ機器は、ｓＴＴＩがシグナリングに使用されると判定した後、ｓＴＴＩを使用してシグナリング中に第２の制御情報を基地局に送信する、請求項（１９）に記載の基地局。
【０１５２】
（２１）．短縮時間間隔が、新しい無線システムのミニスロットまたは非スロットユニットであり、標準時間間隔が、新しい無線システムのスロットであり、ミニスロットまたは非スロットユニットが、ＯＦＤＭシンボルに関するスロットの一部であり、ユーザ機器は、ミニスロットまたは非スロットがシグナリングに使用されると判定した後、ミニスロットまたは非スロットユニットを使用して、基地局へのシグナリング中に第２の制御情報を送信する、請求項（１９）に記載の基地局。
【０１５３】
（２２）．第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、シグナリングに短縮時間間隔を使用するかどうかが、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上によって明示的に示される、請求項（１９）に記載の基地局。
【０１５４】
（２３）．ユーザ機器が、短縮時間間隔に対して特別に指定されている制御リソース内で第１の制御情報を受信するとき、ユーザ機器は、短縮時間間隔がシグナリングに使用されると判定する、請求項（１９）に記載の基地局。
【０１５５】
（２４）．第１の制御情報が、ダウンリンク制御情報を含み、ユーザ機器が、短縮時間間隔および標準時間間隔によって共有される制御リソース内でダウンリンク制御情報を受信するとき、ユーザ機器は、ユーザ機器内のサーチスペースおよびダウンリンク制御情報のサイズのうちの１つ以上に従って、短縮時間間隔がシグナリングに使用されるかどうかを判定する、請求項（１９）に記載の基地局。
【０１５６】
（２５）．第１の制御情報が、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、ユーザ機器によるサイドリンク送信の送信時間は、以下の式ａ）およびｂ）のうちの１つに従って判定される第１の時間よりも早くなく、
【数１３】
2021503188.tif 000016
ここで、
【数１４】
2021503188.tif 000017
は、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている、請求項（１９）に記載の基地局。
【０１５７】
（２６）．スケジューリング要求およびバッファ状態報告のうちの１つ以上を介して、ユーザ機器から報告を受信するように動作する受信機であって、報告が、シグナリングのためにユーザ機器によって選択された時間間隔を示す、受信機と、
ユーザ機器とのシグナリングのために、ユーザ機器によって選択された時間間隔を使用するかどうかを決定するように動作する決定回路と、をさらに備える、請求項（１９）に記載の基地局。
【０１５８】
（２７）．ユーザ機器が、新しい無線システムにおけるシグナリングにミニスロットまたは非スロットユニットが使用されると判定した後、ユーザ機器が、ミニスロットまたは非スロットユニットを使用してサイドリンク送信を実行する、請求項（２１）に記載の基地局。
【０１５９】
（２８）．ユーザ機器（ＵＥ：ｕｓｅｒ  ｅｑｕｉｐｍｅｎｔ）のサイドリンク送信をスケジューリングする基地局のための通信方法であって、
基地局において第１の制御情報を生成することと、
サイドリンク送信のための基地局とユーザ機器とのシグナリングに短縮時間間隔を使用するかどうかを示すために、第１の制御情報をユーザ機器に送信することと、を含み、
短縮時間間隔長が、標準時間間隔長よりも短い、方法。
【０１６０】
（２９）．短縮時間間隔が、短縮送信時間間隔（ｓＴＴＩ：ｓｈｏｒｔｅｎｅｄ  ｔｒａｎｓｍｉｓｓｉｏｎ  ｔｉｍｅ  ｉｎｔｅｒｖａｌ）であり、標準時間間隔が、送信時間間隔（ＴＴＩ：ｔｒａｎｓｍｉｓｓｉｏｎ  ｔｉｍｅ  ｉｎｔｅｒｖａｌ）であり、ｓＴＴＩが、ＯＦＤＭシンボルに関するＴＴＩの一部であり、ユーザ機器は、ｓＴＴＩがシグナリングに使用されると判定した後、ｓＴＴＩを使用してシグナリング中に第２の制御情報を基地局に送信する、請求項（２８）に記載の通信方法。
【０１６１】
（３０）．短縮時間間隔が、新しい無線システムのミニスロットまたは非スロットユニットであり、標準時間間隔が、新しい無線システムのスロットであり、ミニスロットまたは非スロットが、ＯＦＤＭシンボルに関するスロットの一部であり、ユーザ機器は、ミニスロットまたは非スロットがシグナリングに使用されると判定した後、ミニスロットまたは非スロットユニットを使用して、基地局へのシグナリング中に第２の制御情報を送信する、請求項（２８）に記載の通信方法。
【０１６２】
（３１）．第１の制御情報が、ダウンリンク制御情報（ＤＣＩ：ｄｏｗｎｌｉｎｋ  ｃｏｎｔｒｏｌ  ｉｎｆｏｒｍａｔｉｏｎ）および無線リソース制御（ＲＲＣ：ｒａｄｉｏ  ｒｅｓｏｕｒｃｅ  ｃｏｎｔｒｏｌ）シグナリングのうちの１つ以上を含み、シグナリングに短縮時間間隔を使用するかどうかが、無線リソース制御（ＲＲＣ：ｒａｄｉｏ  ｒｅｓｏｕｒｃｅ  ｃｏｎｔｒｏｌ）シグナリングおよびダウンリンク制御情報のうちの１つ以上によって明示的に示される、請求項（２８）に記載の通信方法。
【０１６３】
（３２）．ユーザ機器が、短縮時間間隔に対して特別に指定されている制御リソース内で第１の制御情報を受信するとき、ユーザ機器は、短縮時間間隔がシグナリングに使用されると判定する、請求項（２８）に記載の通信方法。
【０１６４】
（３３）．第１の制御情報は、ダウンリンク制御情報を含み、方法は、短縮時間間隔および標準時間間隔、ユーザ機器によって共有される制御リソース内でユーザ機器がダウンリンク制御情報を受信するとき、ユーザ機器内のサーチスペースおよびダウンリンク制御情報のサイズのうちの１つ以上に従って、短縮時間間隔がシグナリングに使用されるかどうかを判定することをさらに含む、請求項（２８）に記載の通信方法。
【０１６５】
（３４）．第１の制御情報が、サイドリンク関連ダウンリンク制御情報（ＤＣＩ：ｄｏｗｎｌｉｎｋ  ｃｏｎｔｒｏｌ  ｉｎｆｏｒｍａｔｉｏｎ）を含み、ユーザ機器によるサイドリンク送信の送信時間は、以下の式ａ）およびｂ）のうちの１つに従って判定される第１の時間よりも早くなく、
【数１５】
2021503188.tif 000018
ここで、
【数１６】
2021503188.tif 000019
が、基地局がサイドリンク関連ＤＣＩを送信する時間を示し、ｍが、時間オフセットを示し、Ｓが、秒単位の短縮時間間隔長を示し、ＸおよびＹが、ユーザ機器の容量に関連し、かつ、ＲＲＣによって構成されるか、または既定されている、請求項（２８）に記載の通信方法。
【０１６６】
（３５）．スケジューリング要求およびバッファ状態報告のうちの１つ以上を介して、ユーザ機器から報告を受信することであって、報告が、シグナリングのためにユーザ機器によって選択された時間間隔を示す、受信することと、
ユーザ機器とのシグナリングのためにユーザ機器によって選択された時間間隔を使用するかどうかを決定することと、を含む、請求項（２８）に記載の通信方法。
【０１６７】
（３６）．ユーザ機器が、新しい無線システムにおけるシグナリングにミニスロットまたは非スロットユニットが使用されると判定した後、ユーザ機器が、ミニスロットまたは非スロットユニットを使用してサイドリンク送信を実行する、請求項（３０）に記載の基地局。
【０１６８】
本開示は、ソフトウェア、ハードウェア、またはハードウェアと連携するソフトウェアによって実現することができる。上述した各実施形態の説明で用いた各機能ブロックは、その一部または全部を集積回路などのＬＳＩで実現することができ、各実施形態で説明した各処理は、一部または全部を同一のＬＳＩまたはＬＳＩの組み合わせで制御してもよい。ＬＳＩは個別にチップとして形成されてもよく、または１つのチップが機能ブロックの一部もしくは全部を含むように形成されてもよい。ＬＳＩは、それに結合されたデータ入力および出力を含んでもよい。ここでいうＬＳＩとは、集積度の違いにより、ＩＣ、システムＬＳＩ、スーパーＬＳＩ、ウルトラＬＳＩと呼ばれる場合がある。ただし、集積回路を実現する技術はＬＳＩに限定されるものではなく、専用回路、汎用プロセッサ、専用プロセッサを用いて実現してもよい。また、ＬＳＩの製造後にプログラム可能なフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）や、ＬＳＩ内部に配置された回路セルの接続や設定を再構成可能なリコンフィギャラブル・プロセッサを使用してもよい。本開示は、デジタル処理またはアナログ処理として実現することができる。半導体技術またはその他の派生技術の進歩の結果、将来の集積回路技術がＬＳＩを置き換える場合、機能ブロックは将来の集積回路技術を使用して統合される可能性がある。バイオテクノロジーも適用することができる。
【０１６９】
本開示のいくつかの実施形態の例は、特定の実施形態の添付の図を参照して、上記で詳細に説明されてきた。もちろん、コンポーネントまたは技術の考えられるすべての組み合わせを説明することは不可能であるため、当業者は、本開示の範囲から逸脱することなく上記の実施形態に様々な修正を加えることができることを理解する。例えば、上記の実施形態は、第３世代パートナーシッププロジェクト（３ＧＰＰ）ネットワークの一部を参照して説明されているが、本開示の一実施形態は、同様の機能コンポーネントを有する３ＧＰＰネットワークの後継者などの同様のネットワークにも適用可能である。
【０１７０】
したがって、特に、上記の説明および添付の図面および現在または将来の添付の特許請求の範囲で使用される用語３ＧＰＰおよび関連用語または関連用語は、それに応じて解釈されるものとする。
【０１７１】
本開示は、ソフトウェア、ハードウェア、またはハードウェアと連携するソフトウェアによって実現することができる。上述した各実施形態の説明で用いた各機能ブロックは、集積回路としてのＬＳＩで実現することができ、各実施形態で説明した各処理は、ＬＳＩで制御してもよい。それらは個別にチップとして形成されてもよく、または１つのチップが機能ブロックの一部もしくは全部を含むように形成されてもよい。それらは、それに結合されたデータ入力および出力を含んでもよい。ここでいうＬＳＩとは、集積度の違いにより、ＩＣ、システムＬＳＩ、スーパーＬＳＩ、ウルトラＬＳＩと呼ばれる場合がある。ただし、集積回路を実現する技術はＬＳＩに限定されるものではなく、専用回路または汎用プロセッサを用いて実現してもよい。また、ＬＳＩの製造後にプログラム可能なフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）や、ＬＳＩ内部に配置された回路セルの接続や設定を再構成可能なリコンフィギャラブル・プロセッサを使用してもよい。
【０１７２】
特に、開示された開示の修正および他の実施形態は、前述の説明および関連する図面に提示された教示の利益を有する当業者が想到するであろう。したがって、開示は開示された特定の実施形態に限定されず、修正および他の実施形態が本開示の範囲内に含まれることが意図されることを理解されたい。本明細書では特定の用語を使用する場合があるが、それらは一般的かつ説明的な意味でのみ使用され、限定の目的ではない。
【図１Ａ】
2021503188.tif 000024
【図１Ｂ】
2021503188.tif 000025
【図２】
2021503188.tif 000026
【図３Ａ】
2021503188.tif 000027
【図３Ｂ】
2021503188.tif 000028
【図４Ａ】
2021503188.tif 000029
【図４Ｂ】
2021503188.tif 000030
【図５Ａ】
2021503188.tif 000031
【図５Ｂ】
2021503188.tif 000032
【図６】
2021503188.tif 000033
【図７】
2021503188.tif 000034
【図８】
2021503188.tif 000035
【図９】
2021503188.tif 000036
【図１０】
2021503188.tif 000037
【図１１】
2021503188.tif 000038
【図１２】
2021503188.tif 000039
【図１３】
2021503188.tif 000040
【国際調査報告】
2021503188.tif 000041
2021503188.tif 000042